(57)【特許請求の範囲】
【請求項１】
壁に取り付けられるＬＥＤ足元灯であって、壁に固定されるプレートの背面に点灯回路部品を搭載した点灯回路基板を収めたブロックが固定され、点灯回路基板からリード線を介して接続されＬＥＤを搭載したＬＥＤ基板の下縁は前記ブロックの前面に形成した開口孔下縁の凸部背面に係止され、前記開口孔と対応して前記プレートに形成した窓孔から透明カバーを前方に突出して取り付けるとともに、透明カバー内には前記ＬＥＤ基板が収められてこのＬＥＤ基板の上縁が透明カバーに係止され、前記ＬＥＤ基板は斜め下方に傾いて係止されたＬＥＤ足元灯。
【発明の詳細な説明】
【０００１】
【発明の属する技術分野】
本発明は、壁に取り付けられるＬＥＤ（発光ダイオード）足元灯に関する。
【０００２】
【従来の技術】
従来のＬＥＤ足元灯では、ＬＥＤを搭載した基板は垂直に取り付けられ、その取り付けはビスなどで行っていた。
【０００３】
【発明が解決しようとする課題】
しかし、足元側への配光特性を向上したい場合はＬＥＤ基板を斜め下方に傾けて取り付けなければならないが、ビスなどでは不可能であった。本発明はこのような解決すべき課題を鑑み、ＬＥＤ基板を傾けて取り付け可能にすることを目的とする。
【０００４】
【課題を解決するための手段】
請求項に示した通りである。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図示の実施形態は、壁１に取り付けられて廊下面２を照射するＬＥＤ足元灯であって、ＬＥＤ３としてその配光指向角が縦方向より横方向が大きく設定されたいわゆる楕円配光特性のものが実装されたＬＥＤ足元灯である。また、壁１に取り付けられて廊下面２を照射するＬＥＤ足元灯であって、ＬＥＤ３としてその配光指向角が縦方向より横方向が大きく設定されたいわゆる楕円配光特性のものが少なくとも横方向に列をなして互いに同一方向になるようにＬＥＤ基板４に複数本実装されたＬＥＤ足元灯である。そして、表面に設けられた不透明樹脂のカバー部材５に前方に突き出した庇部６が形成されるとともに、庇部６の下面（光反射性である）内に設けられたＬＥＤ３は壁１の法線方向に対して下方にθ＝３０〜５０°の方向に向けられ、ＬＥＤ３は廊下面２から２０〜４０ｃｍ程度の高さとされている。なお、本実施形態ではＬＥＤ３が横方向に列をなして６本配置されるとともに、その上列側に２本のＬＥＤ３が配置される。
【０００７】
図４は楕円配光特性のＬＥＤ３単品の配光特性例で、ＬＥＤ３の正面方向を９０°としたときの±９０°の配光特性が示される。図中、実線は縦方向の配光特性、一点鎖線は横方向の配光特性をそれぞれ表し、ＬＥＤ３を構成する透明レンズの断面形状を楕円とすることにより、その配光指向角は縦方向より横方向が大きくなるよう設定されている。そして、図３（Ｂ）はこの特性のＬＥＤ３を用いた本足元灯の概略配光特性を示し、廊下面２の長手方向への配光特性を広くできている。こうして、廊下面２の長手方向へ効果的に照射することができる。一方、図３（Ａ）は一般的な円配光特性のＬＥＤを用いた場合の配光特性を示し、廊下面２の長手方向への配光特性が狭くなり、実用性に乏しいものである。そして、楕円配光特性のＬＥＤ３を用いると、複数のＬＥＤ３を互いに同一方向にＬＥＤ基板４に実装できるため、ＬＥＤ３のＬＥＤ基板４への実装が容易に行える。また、ＬＥＤ３を廊下面２から２０〜４０ｃｍ程度の高さとした一般的な設置状況の場合、庇部６の下面内に設けられたＬＥＤ３は壁１の法線方向に対して下方にθ＝３０〜５０°の方向に向けられていると、廊下面２に対して好適な配光が得られる。
【０００８】
また、本実施形態は、壁１に取り付けられるＬＥＤ足元灯であって、壁１にねじ７で固定されるプレート８に形成した窓孔９から透明カバー１０を前方に突出して取り付けるとともに透明カバー１０内にＬＥＤ３を収め、前記プレート８の表面側に着脱可能に取り付けられる不透明のカバー部材５に前方に突出して庇部６を形成して庇部６により前記透明カバー１０の上方を覆ったＬＥＤ足元灯でもある。なお、透明カバー１０は、例えば透明カバー１０の基端に外向きの小さな係止爪１１が形成され、係止爪１１を窓孔９の孔縁背面に係止することにより、取り付けられている。また、カバー部材５の背面にはプレート８の上下縁に軽度に係止される係止部１２が形成されるなどの構造により、カバー部材５はプレート８の表面側に着脱可能に取り付けられる。
【０００９】
このように構成すれば、ＬＥＤ３の光を庇部６下面の反射により足元側へ配光できるため、足元側への配光特性を向上でき、夜間の安全な通路照明として好適である。また、ＬＥＤ３が透明カバー１０で覆われているため、ＬＥＤ３に触れてＬＥＤ３に外力が加わるおそれがない。殊に、本ＬＥＤ足元灯を壁１に設置工事する場合、カバー部材５をプレート８に最終的に取り付けるまでは、カバー部材５がプレート８から取り外されたままの状態になるが、透明カバー１０によりＬＥＤ３が保護されているため、不用意にＬＥＤ３に外力が加わるおそれがないのである。
【００１０】
また、本実施形態は、壁１に取り付けられるＬＥＤ足元灯であって、壁１に固定されるプレート８の背面に点灯回路部品１３を搭載した点灯回路基板１４を収めたブロック１５が適宜手段で固定され、点灯回路基板１４からリード線１６を介して接続されＬＥＤ３を搭載したＬＥＤ基板４の下縁は前記ブロック１５の前面に形成した開口孔１７下縁の凸部１８背面に係止され、前記開口孔１７と対応して前記プレート８に形成した窓孔９から透明カバー１０を前方に突出して取り付けるとともに、透明カバー１０内には前記ＬＥＤ基板４が収められてＬＥＤ基板４の上縁が透明カバー１０に係止され、前記ＬＥＤ基板４は斜め下方に傾いて係止されたＬＥＤ足元灯でもある。なお、ブロック１５はその前面側の蓋１９も含めた構成であり、蓋１９に前記開口孔１７が形成されている。また、ＬＥＤ基板４の上縁が透明カバー１０の内面に当接するだけの係止でもよいが、例えば、ＬＥＤ基板４の上縁には部分的に突起が形成され、この突起が透明カバー１０に部分的に形成した小孔に挿入係止されるのが望ましい。
【００１１】
このように構成すれば、ＬＥＤ基板４の取り付け構造が凸部１８への係止と透明カバー１０への係止という係止手段により簡単な構成で行え、ＬＥＤ基板４を傾けて取り付ける場合に好適である。
【００１２】
なお、プレート８には電源コンセント２０が貫通状態で固定され、電源コンセント２０の前面はカバー部材５の開口２１から露出している。そして、屋内電源線２２が電源コンセント２０に接続され、電源コンセント２０からの送り電源線２３がブロック１５内に導入されて点灯回路基板１４に接続されている。また、本ＬＥＤ足元灯は壁１の一部を切り取った孔２４に電源コンセント２０とブロック１５が埋め込まれるように取り付けられている。
【図面の簡単な説明】
【図１】本発明の実施形態を示す断面図
【図２】同正面図
【図３】（Ａ）比較例による廊下面の概略配光特性図
（Ｂ）本発明の実施形態による廊下面の概略配光特性図
【図４】本発明の実施形態によるＬＥＤ単品の配光特性図
【符号の説明】
１  壁
３  ＬＥＤ
４  ＬＥＤ基板
８  プレート
９  窓孔
１０  透明カバー
１３  点灯回路部品
１４  点灯回路基板
１５  ブロック
１６  リード線
１７  開口孔
１８  凸部
【図１】
0003876092.tif 000002
【図２】
0003876092.tif 000003
【図３】
0003876092.tif 000004
【図４】
0003876092.tif 000005